(57)【要約】【課題】傾斜した作業現場などに組み上げられる作業用足場を安定に支持し、傾斜面に対する木板などによる手間のかかる角度調整を不要とする。【解決手段】傾斜面上に設置される設置ベース部Ｄと作業用足場の支持ベース部Ｂと、これら設置ベース部Ｄと支持ベース部Ｂの間に設けた角度調整部Ｃにより形成する。角度調整部Ｃは、支持部Ｂに加えられる荷重により支持部Ｂを略水平な状態に保持する。【特許請求の範囲】
【請求項１】
作業用足場を傾斜面に設置する際に、傾斜面に設置される設置ベース部と、作業用足場を支持する支持ベース部と、それら設置ベース部と支持ベース部の間に設けられて支持ベース部を略水平な状態に保持する角度調整部とを備えた傾斜面対応ベース装置。
【発明の詳細な説明】
【技術分野】
【０００１】  本発明は、傾斜のある地面等の作業現場に組み上げられる作業用足場を支持する傾斜面対応ベース装置に関するもの。
【背景技術】
【０００２】  家屋等の建設工事や構築物の外壁の補修工事など、高所での作業を伴う各種建設工事では、作業の足場を組み上げて、その作業用足場の上で作業を行うことがある。多くの場合、作業用足場は、金属製のパイプや棒状の直交クランプなどの固定具で固定し、やぐら状に組み上げたものである。【０００３】  通常使われている作業用足場は、図１に示すように、金属製のパイプを適宜な長さに切断した縦材１及び横材２と、これら縦材１及び横材２を固定する直交クランプ３と、作業員の足場となる足場板４と、縦材１を支持する支持ベース部５とで構成されている。【０００４】  縦材１は、その下端が支持ベース部５の後述する継合部７に差し込まれて、鉛直に支持される。横材２は鉛直に支持された複数の縦材１に掛け渡されて、各々の縦材１と直交クランプ３により固定される。このように作業用足場Ａは、縦材１と横材２とでやぐら状に組み上げられることで、軽量で組み上げ容易でありながら、機械的強度を保って設置される。足場板４は、例えばアルミ合金などの材質からなる軽量かつ機械的強度を有する板状部材であり、複数の横材２の間に掛け渡されて水平に保たれることで、この上に乗って作業する作業員の足場となる。【０００５】  支持ベース部５は、接地面に設置される設置部６と、縦材１が差し込まれる継合部７とからなり、お互いに一体化されて構成される。設置部６は、合金などの材質からなる板状部材であり、接地面に設置されて支持ベース部５を安定させる。継合部７は、合金など材質からなるパイプ状部材であり、縦材１の径に比してやや大きな内径を有し、縦材１の下端が差し込まれる。支持ベース部５は、通常、設置部６と継合部７がしっかり固定されている。【０００６】  また、作業用足場Ａには、支持ベース部５と接地面との間に木板８が敷かれることもある。作業用足場Ａは、支持ベース部５が木板８上に設置されることにより、接地面を汚したり傷つけたりすることなく重い荷重を支える。また木板８は、多少の弾性を持つために、支持ベース部５のぐらつきを押さえる働きをする。【０００７】  通常用いられている作業用足場Ａは、以上のように構成されてなり、作業現場で組み上げられて、作業員が高所での作業をする際の足場となる。作業用足場Ａは、水平な接地面に設置されるときには支持ベース部５により縦材１が鉛直に支持され安定する。しかしながら、作業用足場Ａは、支持ベース部５の設置部６と継合部７とが垂直に固定されているため、接地面が傾斜しているときには縦材１が鉛直に支持されず安定しない。【０００８】  従って、作業用足場Ａは、傾斜した接地面に支持ベース部５が設置される場合に、支持ベース部５を水平に設置するための基台として、支持ベース部５と接地面との間に適宜の厚みの木材片８が挿入され用いられ、縦材１を鉛直に支持するように調整される。木材片８は、作業現場で木材を加工した際に生じた木切れなどに簡単な加工を施して、くさび状あるいは板状にしたものである。木材片８は、支持ベース部５を水平な角度に調整して設置するために、くさびの角度や厚みを調整（以下角度調整という。）して用いられる。また、木材８は、角度調整されるとともに複数個を組み合わせて用いることで、支持ベース���の角度が水平になるように調整されることもある。
【発明の概要】
【発明が解決しようとする課題】
【０００９】  作業用足場Ａは、傾斜面に設置される支持ベース部５の各々に木材片８が必要であり、また、各々の支持ベース部５に対して、傾斜面の角度に合わせてそれぞれ木材片８の角度調整がなされる必要がある。しかし、作業用足場Ａは、その設置に当たり、木材片８はほとんど変形しないので、水準器などで測定しながらくさび状の木材片８を少しずつ削ったり、種々の厚みの木材片８を組み合わせたりして、支持ベース部５が水平に支持されるように細かく調整をされる。従って、作業用足場Ａは、設置する際において、木材片８を角度調整するのに手間が掛かり、極めて非効率的であった。本発明は、傾斜した作業現場で用いられる際に、角度調整の手間が掛からず、作業用足場Ａを安定して支持しすることができる傾斜面対応ベース装置を提供することを目的とする。
【課題を解決するための手段】
【００１０】  本発明の傾斜面対応ベース装置は、傾斜面上に設置される設置ベース部Ｄと、作業用足場を支持する支持ベース部Ｂと、これらを設置ベース部Ｄと支持ベース部Ｂの間に設けられて支持部Ｂを略水平な状態に保持する角度調整部Ｃとで形成されてなる。【００１１】  本発明の傾斜面対応ベース装置は、支持部Ｂにかかる足場の荷重等によって、角度調整部Ｃが自然と好適な角度に調整される。
【発明の効果】
【００１２】  本発明の傾斜面対応ベース装置は、傾斜面状に設置される設置ベース部Ｄと、作業用足場の支持する支持ベース部Ｂと、この支持部を略水平に保持する角度調整部Ｃにより構成される。それにより、支持ベース部Ｂに加えられた作業用足場の荷重が角度調整部Ｃの主軸１０の半球体の先端に加えられると、支持ベース部Ｂを略水平な状態に保持しようと半球体の先端がくぼみ１４の上で角度を調整し、自然に好適な角度に調整される。さらに、主軸１０に取り付けられたバネ１１の弾性により、調整された好適な角度を安定させ保持することができる。このことにより、傾斜した作業現場で用いる際に角度調整の手間がかからず、作業用足場の設置における作業効率を向上することができる。【００１３】  したがって、本発明の傾斜面対応ベース装置によれば、傾斜した作業現場において作業用足場を効率的に、短時間で組み上げることができ、作業用足場が倒壊する危険が低減されて、安全に作業を行うことができる。
【図面の簡単な説明】
【００１４】
【図１】従来の作業用足場を示す構成図である。
【図２】従来の支持ベースの図である。
【図３】本発明の傾斜面対応ベース装置の角度調整部の図である。
【図４】本発明の傾斜面対応ベース装置の設置ベース部の図である。
【図５】本発明の傾斜面対応ベース装置の組み立ての断面図である。
【図６】本発明の傾斜面対応ベース装置の傾斜面における設置の断面図である。
【発明を実施するための形態】
【００１５】  以下、本発明の実態の形態について、図面を参照して説明する。本発明の傾斜面対応ベース装置Ｅは、図５に示すように傾斜のある接地面に組み上げられる作業用足場Ａの基台として用いられる。
【００１６】  作業用足場Ａは、縦材１及び横材２と、これら縦材１及び横材２を固定する固定具３と、作業員の足場となる足場板４と、縦材を支持する支持ベース部５とにより構成される。縦材１及び横材２は、金属製の丸パイプなどの棒状の部材を適度な長さに切断したものである。縦材２はその下端が支持ベース部５の後述する結合部７に差し込まれて、鉛直に支持される。横材２は、その支持された複数の縦材１に掛け渡されて、各々の縦材１と固定具３により固定される。固定金具としては、例えば直行クランプ等が用いられ、縦材１と横材２とを自由な角度でしっかりと固定する。このように作業用足場Ａは、固定具３により縦材１と横材２とがやぐら状に組み上げられることで、軽量で組み上げ容易でありながら、機械的強度を保って設置される。
【００１７】  足場板４は、例えばアルミ合金などの材質からなる軽量化かつ機械的強度を有する板状部材であり、複数の横材２の間に掛け渡されて水平に保たれることで、この上に乗って作業する作業員の足場となる．
【００１８】  支持ベース部５は、接地面に設置される接地部６と、縦材１が差し込まれる継合部７とからなり、互いに一体化されて構成される。
【００１９】  接地部６は、合金などの材質からなる板状部材であり、接地面に設置されて支持ベース５を安定させる。継合部７は、合金などの材質からなるパイプ状部材であり、縦材１の径に比してやや大きな内径を有し、縦材１の下端部が差し込まれる。継合部７は接地部６に溶接してこれを垂直に固定する。
【００２０】  しかしながら、作業用足場を設置する場所は、常に水平であるとは限らない。場所により接地面が傾斜していることもある。
【００２１】  本発明の傾斜面対応ベース装置は、このような水平でない傾斜面の接地面に対応するものである。金属製の上部板９の中心部に金属製の丸棒の先端が半球体状の形状を有する主軸１０を溶接加工により固着されてなる角度調整部Ｃと、金属製の丸棒の先端が半球状の主軸１０が納まるくぼみ１４を中心部に持つ下部板１２に、主軸を納める筒形１３を溶接加工により固着されてなる設置ベース部Ｄで構成される。金属製の丸棒の先端が半球体状の主軸１０の丸棒部にはバネ１１を取り付けてある。
【００２２】  本発明の傾斜面対応ベース装置の設置ベース部Ｄの下部板１２の穴１９にボルト１６を差し込み、傾斜面に固定設置する（Ｆ）。そして、支持ベース部Ｂの穴１７と角度調整部Ｃの上部板９の穴１８にボルト１５を通して固定する。固定された支持ベース部Ｂの継合部７に縦材１を差し込むことにより、接地面が傾斜した場所に組み上げられる作業用足場の荷重が支持部Ｂに加わり、その荷重を略水平な状態に保持しようと角度調整部Ｃの主軸１０が自然に鉛直に調整され、好適な角度になり、作業用足場が安定して支持することができる。
【図１】
2017057702.tif 000002
【図２】
2017057702.tif 000003
【図３】
2017057702.tif 000004
【図４】
2017057702.tif 000005
【図５】
2017057702.tif 000006
【図６】
2017057702.tif 000007